(57)【要約】【課題】光源ホルダの構成を簡素化した表示灯を提供する。【解決手段】表示灯は、前面が開放された箱状の本体ケース１０と、表示パネル２１と、光源を収容し表示パネル２１とともに本体ケース１０の開口を閉塞する光源ホルダ３０とを備える。光源ホルダ３０は、左右方向に長い形状に形成され、左右の両端部には、後方に突出する接続端子部３４ｂと、後方に突出するガイド突起５１とがそれぞれ設けられる。本体ケース１０には、端子部３４ｂに当接するソケット４０が収容され、ガイド突起５１が嵌まるガイド溝５３が上壁の内側面に前後方向に凹設される。ガイド溝５３の底面には嵌合孔５４が開設される。ガイド突起５１は、厚み方向が上下方向になる板状に形成されるとともに、嵌合孔５４に嵌まる嵌合凸部５２が先端部に突設される。【選択図】図１
2010277733.tif 000002
【特許請求の範囲】
【請求項１】
前面に開口を有する箱状に形成され点灯装置が収容された本体ケースを備える本体ユニットと、表示パネルを備え本体ケースの開口の一部を覆う表示ユニットと、表示パネルを照明する光源を備え表示ユニットともに本体ケースの開口の一部を覆う光源ユニットとを有し、表示ユニットは、表示パネルの背面側に重ねられ光源ユニットから導入された光を導光し表示パネルの背面に出射させる導光板を備え、光源ユニットは、光源に電気的に接続された接続パターンが形成され本体ユニットに挿入される端子片と、本体ユニットの開口を囲み表示ユニットとの間に光源ユニットを保持する周壁の内側面に形成したガイド溝に挿入される一対のガイド突起とを備え、本体ケースは、点灯装置に電気的に接続され端子片が挿入接続されるソケットを備えており、各ガイド溝は、それぞれ内底面の後端部に嵌合孔が形成され、光源ユニットは、嵌合孔に嵌合する嵌合凸部が先端部に突設されガイド溝に差し込まれる一対のガイド突起を備え、各ガイド突起の側面は、光源ユニットが本体ケースの開口面に対して傾かないように各ガイド溝の内側面にそれぞれ当接することを特徴とする表示灯。
【請求項２】
前記ガイド溝の内底面における前後方向の中間部には、後方に向かって表示ユニットとの距離を小さくする案内面が形成されていることを特徴とする請求項１記載の表示灯。
【発明の詳細な説明】
【技術分野】
【０００１】
本発明は、光源を有する光源ユニットと、光源からの光により照明される表示パネルを備える表示ユニットとを、箱状の本体ケースの前面に取着した表示灯に関するものである。
【背景技術】
【０００２】
従来より、光源を有する光源ユニットと、光源からの光により照明される表示パネルを備える表示ユニットとを、箱状の本体ケースを備えた本体に取着した表示灯が提供されている。本体ケースは、前面の略全面に亘る開口を有する。光源ユニットと表示ユニットとは本体ケースに設けた前記開口の一部をそれぞれ覆い、光源ユニットと表示ユニットとで本体ケースの開口の全面が覆われる。この種の表示灯は、例えば、表示パネルに誘導標識を表記して誘導灯に用いられる。
【０００３】
図６に示す表示灯は、誘導灯であって、本体ケース１０には、光源（図示せず）を点灯させる点灯装置１２が収容されている。点灯装置１２には、リード線９１を介してコネクタ９２が接続されている。
【０００４】
表示ユニット２は、表示パネル２１と導光板（図示せず）とを重ね合わせてパネルケース２３に取り付けた構成を有する。導光板は、図６における表示ユニット２の上面である入射面から光が導入され、表示パネル２１との対向面である出射面の全面から略均一に出射されるように導光する板状の部材である。
【０００５】
光源ユニット３は、図６の背面と下面とが開放された直方体状の光源ホルダ３０を備え、この光源ホルダ３０に光源が収容された構成を有している。光源には、例えば、光源ホルダ３０の長手方向に沿う直管形の蛍光灯が用いられる。また、光源には、リード線９３を介してコネクタ９４が接続されている。コネクタ９４がコネクタ９２と接続されることにより、光源が点灯装置１２に接続される。光源から放射された光は導光板の入射面に入射する。
【０００６】
一方、光源ユニット３としては、図７に示す構成も知られている（例えば、特許文献１参照）。この光源ユニット３の基本的な構成は図６に示した誘導灯の光源ユニット３と同様であるが、コネクタ９４に代えて光源ホルダ３０の後面から後方に突出する一対の端子片３４ｃが光源ホルダ３０の長手方向の両端部にそれぞれ設けられている。端子片３４ｃは、本体ケースに設けたソケット（図示せず）に差し込まれることにより、点灯装置と電気的に接続される。
【０００７】
また、光源ホルダ３０の長手方向の両端部であって端子片３４ｃよりも中央寄りには本体ケース（図示せず）に挿入される一対の取着突起９５が突設され、取着突起９５の先端部には本体ケースに係合する引掛凸部９６が突設されている。さらに、光源ホルダ３０の長手方向の両端部には、本体ケースの周壁内側面に当接する断面Ｌ字状に形成された一対のガイド突起５１’が突設されている。
【０００８】
したがって、光源ユニット３に設けたガイド突起５１’を本体ケースに位置合わせし、光源ユニット３を本体ケースに押し付けることによって、端子片３４ｃがソケットに差し込まれる。またこのとき、光源ホルダ３０に設けた引掛凸部９６が本体ケースに設けられている引掛片（図示せず）と係合することにより、光源ユニット３が本体ケースに機械的に結合される。
【０００９】
すなわち、ガイド突起５１’は、光源ユニット３を本体ケースに挿入する際に案内する機能と、光源ユニット３が本体ケースに対して傾いて挿入されるのを防止する機能とを有し、引掛凸部９６は光源ユニット３を本体ケースに対して機械的に結合する機能を有している。また、光源ユニット３が本体ケースに対して傾かないようにガイド突起５１’を設けていることで、光源ユニット３を本体ケースに着脱するに際し、端子片３４ｃがソケットに十分に差し込まれていない状態において、端子片３４ｃに対して差込方向に交差する方向の外力が作用することが防止される。
【先行技術文献】
【特許文献】
【００１０】
【特許文献１】特開２００７−３１７５７２号公報
【発明の概要】
【発明が解決しようとする課題】
【００１１】
ところで、図６に示した表示灯（誘導灯）では、光源ホルダ３０を本体ケース１０に取着する作業に加え、コネクタ９２とコネクタ９４とを接続する作業が必要であるから、作業に手間がかかる。また、光源ホルダ３０を本体ケース１０に取着する際に、光源ホルダ３０と本体ケース１０との間にリード線９１、９３を挟む虞がある。
【００１２】
一方、図７に示した特許文献１に記載された誘導灯では、光源ホルダ３０を本体ケースに取着すると同時に光源が点灯装置に電気的に接続されるから、図６に示した構成に比較して作業が簡単になる。しかも、リード線が光源ホルダ３０と本体ケースとの間に挟まれることもないという長所もある。
【００１３】
しかしながら、本体ケースに対して光源ユニット３を機械的に結合する機能を取着突起９５に持たせ、本体ケースに光源ユニット３を取り付ける際の案内および傾き防止の機能をガイド突起５１’に持たせているから、本体ユニットと光源ホルダ３０との構造が複雑になるという問題がある。
【００１４】
本発明は上記事由に鑑みて為されたものであり、その目的は、本体ケースに対する光源ユニットの機械的結合と本体ユニットへの光源ユニットの着脱時の案内および傾き防止との機能を簡単な構造で実現した表示灯を提供することにある。
【課題を解決するための手段】
【００１５】
本発明は、上記目的を達成するために、前面に開口を有する箱状に形成され点灯装置が収容された本体ケースを備える本体ユニット、表示パネルを備え本体ケースの開口の一部を覆う表示ユニットと、表示パネルを照明する光源を備え表示ユニットとともに本体ケースの開口の一部を覆う光源ユニットとを有し、表示ユニットは、表示パネルの背面側に重ねられ光源ユニットから導入された光を導光し表示パネルの背面に出射させる導光板を備え、光源ユニットは、光源に電気的に接続された接続パターンが形成され本体ユニットに挿入される端子片と、本体ユニットの開口を囲み表示ユニットとの間に光源ユニットを保持する周壁の内側面に形成したガイド溝に挿入される一対のガイド突起とを備え、本体ケースは、点灯装置に電気的に接続され端子片が挿入接続されるソケットを備えており、各ガイド溝は、それぞれ内底面の後端部に嵌合孔が形成され、光源ユニットは、嵌合孔に嵌合する嵌合凸部が先端部に突設されガイド溝に差し込まれる一対のガイド突起を備え、各ガイド突起の側面は、光源ユニットが本体ケースの開口面に対して傾かないように各ガイド溝の内側面にそれぞれ当接することを特徴とする。
【００１６】
ガイド溝の内底面における前後方向の中間部には、後方に向かって表示ユニットとの距離を小さくする案内面を形成するのが望ましい。
【発明の効果】
【００１７】
本発明の構成によれば、光源ユニットに設けたガイド突起の先端部に突設した嵌合凸部が、本体ユニットに設けたガイド溝の嵌合孔に嵌合することによって、光源ユニットの本体ユニットへの機械的結合がなされ、ガイド突起の側面がガイド溝の内側面に当接することにより、光源ユニットを本体ユニットに装着する際に、光源ユニットが本体ユニットに対して傾かないようにしているから、本体ユニットへの光源ユニットの機械的結合と光源ユニットの傾き防止との機能をガイド突起のみで実現することができ、両機能に持つ構成を別個に設ける場合に比較して、光源ユニットの構造が簡単になるという利点を有する。
【００１８】
また、ガイド溝の底面に案内面を形成した構成では、ガイド突起をガイド溝に挿入するのが容易になるという利点を有する。
【図面の簡単な説明】
【００１９】
【図１】実施形態を示す要部分解斜視図である。
【図２】同上の分解斜視図である。
【図３】同上の要部分解斜視図である。
【図４】同上の一部破断した分解斜視図である。
【図５】同上の要部断面図である。
【図６】従来例を示す分解斜視図である。
【図７】他の従来例で用いる光源ホルダを示す斜視図である。
【発明を実施するための形態】
【００２０】
以下では、本発明の表示灯を誘導灯に用いた例を説明するが、本発明の用途を制限する趣旨ではない。
【００２１】
本実施形態で説明する誘導灯は、図２に示すように、薄箱状に形成され厚み方向の一面である前面の略全面に亘る開口を有した本体ケース１０に点灯装置１２を収納した本体ユニット１と、光源３１を備えた光源ユニット３と、光源３１からの光により照明される表示パネル２１を備えた表示ユニット２とにより構成される。表示ユニット２と光源ユニット３とは本体ユニット１の開口に覆着され、表示ユニット２と光源ユニット３とにより本体ケース１０の開口が閉塞される。
【００２２】
本体ケース１０は、合成樹脂成形品であり、図２における上面を天井面に当接させて天井に取り付けられるか、または、後面を壁面に当接させて壁に取り付けられる。以下では、図２における上下方向を上下方向に規定し、図２における左上を左、右下を右に規定して説明する。ただし、これらの方向は、誘導灯の取付方向を制限するものではない。
【００２３】
本体ユニット１は、本体ケース１０に収容される金属製の取付板１１を有する。取付板１１には、商用電源から給電され光源３１を点灯させる上述した点灯装置１２と、商用電源の停電時に光源３１を点灯させるための電力を確保する２次電池１３と、商用電源からの給電線（図示せず）と点灯装置１２と２次電池１３とを相互に接続する端子台１４とが、取り付けられる。点灯装置１２と２次電池１３と端子台１４とは、例えば、ねじを用いて取付板１１に固定され、取付板１１は、例えば、ねじを用いて本体ケース１０に取り付けられる。
【００２４】
給電線は、本体ケース１０の上壁と後壁とに開設した通線孔１０ａの一方を通して本体ケース１０内に引き込まれ、さらに、取付板１１の上壁と後壁とに開設した導入孔１１ａの一方を通して本体ユニット１に引き込まれる。
【００２５】
本体ケース１０における左右両側壁には、表示ユニット２を取り付けるための保持片１０ｂが、それぞれ複数個（図示例では２個）ずつ突設される。各係合片１０ｂは、各側壁の内側面において上下に離間している。
【００２６】
また、本体ケース１０における左右両側壁の上部には、それぞれ点灯装置１２に電気的に接続されたソケット４０が取り付けられる。さらに、本体ケース１０の上壁の左右両端部には、図１に示すように、前面と下面とが開放されたガイド溝５３が形成される。ソケット４０およびガイド溝５３の具体的構成と機能とについては後述する。
【００２７】
表示ユニット２は、図２に示すように、それぞれ矩形板状に形成された表示パネル２１と導光板２２とを前後に重ね合わせ、表示パネル２１と導光板２２との積層体の周部をパネルケース２３で囲んだ構成を有する。パネルケース２３は、導光板２２の上面である入射面を露出させるように上方に開放されたコ字状に形成されている。表示パネル２１は、透光性の合成樹脂材料を用いて形成された成形品であり、文字や図形が表記される（誘導灯では誘導標識が表記される）。
【００２８】
導光板２２は、透明合成樹脂を用いて形成され、上面である入射面から光を導入し、前面である出射面と後面である光反射面との間で内部反射を繰り返させることにより導光する。また、導光板２２は、導光する間に一部の光を出射面から漏光させることにより、出射面の全面から光束を均一に出射させる機能を有する。したがって、導光板２２に積層された表示パネル２１が均一な輝度を照明することができる。
【００２９】
導光板２２の原理は周知であるから詳述しないが、導光板２２には、出射面から光を出射させるために、左右方向に沿う断面Ｖ字状の溝を光反射面に形成し、溝の壁面で光を反射させる構成、あるいは多数個のドットパターンを光反射面に印刷し、ドットパターンで光を拡散反射させる構成などが用いられる。これらの構成を採用することで、導光板２２の内部で導光される光の一部は、臨界角よりも小さい入射角で出射面に入射し、出射面から出射する。導光板２２の光反射面側には、光反射面から漏光する光を反射する反射シート（図示せず）が配置される。
【００３０】
ところで、パネルケース２３の左右両側面には、本体ケース１０に設けた保持片１０ｂと互いに前後に重なる取付片２３ａが、各側面に複数個（図示例では２個）ずつ突設されている。
【００３１】
本体ケース１０に表示ユニット２を取り付けるにあたっては、本体ケース１０の保持片１０ｂよりも取付片２３ａが上方に位置するように本体ケース１０の前面に表示ユニット２を重ね合わせ、その後、表示ユニット２を落とし込むことにより、保持片１０ｂの後側に取付片２３ａを重複させる。保持片１０ｂは、本体ケース１０の開口面よりもやや後方に設けられ、表示ユニット２を落とし込んだときに、表示ユニット２の下端が本体ケース１０の下壁の上面に載るようにしてある。したがって、上述のようにして、本体ユニット１に表示ユニット２が結合され、本体ユニット１の開口面のうち上部を除く部位が表示ユニット２により閉塞されることになる。
【００３２】
一方、光源ユニット３は、下面と後面とが開放された左右方向に長い直方体状に形成された光源ホルダ３０を備える。光源ホルダ３０は、合成樹脂成形品であり、上壁の左右両端部から後方に向かってそれぞれガイド突起５１および位置ずれ防止突起５６が突設される。
【００３３】
光源ホルダ３０には、左右一対の光源３１をそれぞれ実装した一対の基板３４と、各光源３１から放射された光を導光板２２の入射面に導く一対の導光部材３３と、基板３４および導光部材３３を一体化する収納ケース３２とが収容される。光源３１には、例えば、発光ダイオードが用いられ、基板３４にはプリント基板が用いられる。
【００３４】
導光部材３３は、透明合成樹脂により楔状に形成され、左右方向の一端に設けた左右方向に直交する光導入面から導入した光を導光し、下面である光導出面の全面に亘って出射させる機能を有する。導光部材３３の上面は、左右方向において光導入面から離れるほど光導出面に近付くように傾斜した傾斜面になっている。傾斜面には、導光板２２の光反射面と同様に断面Ｖ字状の溝あるいは拡散反射性のドットパターンが形成される。
【００３５】
収納ケース３２は、光源ホルダ３０内で定位置に固定される。また、導光部材３３は収納ケース３２の左右両部にそれぞれ収納されるとともに、収納ケース３２内で定位置に固定される。収納ケース３２に収納された導光部材３３の光導入面には、基板３４に実装した光源３１が対向して配置される。基板３４は、収納ケース３２の左右両端部にそれぞれ結合される取付部材３５と、基板３４と取付部材３５との間に介装された保持部材３６とを用いて収納ケース３２に固定される。収納ケース３２の上壁内側面は反射面とするのが望ましい。
【００３６】
各基板３４は、光源３１を実装する部位から後方に端子片３４ａが突出したＴ字状に形成されている。端子片３４ａには、図３に示すように、導体パターンにより形成された前後方向の２本の接続パターン３４ｂが上下に離間して形成される。各接続パターン３４ｂは光源３１に電気的に接続されている。
【００３７】
ところで、光源ホルダ３０には、上述した光源３１および導光部材３３に加えて、導光部材３３の光導出面に対向して配置される光拡散シート３７と、光拡散シート３７に対向して配置される透明材料により形成された漏光防止部材３８とが収納されている。導光部材３３の光導出面から出射した光は、光拡散シート３７で拡散され、漏光防止部材３８を通して光源ユニット３から出射される。光拡散シート３７は、導光部材３３から出射された光を拡散させて左右方向において光束を均一化する機能を有する。また、漏光防止部材３８は、光拡散シート３７を通った光が発散せずに漏光防止部材３８の下面から出射されるように光の出射範囲を制限する機能を有する。
【００３８】
上述したように、光源ユニット３は、本体ユニット１の前面に形成された開口に覆着される。光源ユニット３が本体ユニット１に覆着された状態では、端子片３４ａおよびガイド突起５１が本体ケース１０に挿入される。このとき、端子片３４ａは上述したソケット４０に挿入され、ガイド突起５１は上述したガイド溝５３に挿入される。光源ユニット３を本体ユニット１に結合する構成については後述する。また、光源ユニット３を本体ユニット１に装着する際に、位置ずれ防止突起５６が本体ケース１０への取付位置の目安として挿入されることにより、光源ユニット３を本体ユニット１に取り付ける際の作業性が向上する。
【００３９】
以下では、ソケット４０について説明する。ソケット４０は、図３に示すように、板ばねからなる一対のコンタクト４１と、コンタクト４１を収容するハウジング４２とを備える。
【００４０】
各コンタクト４１は、それぞれ互いに対向する一対の接触片を有し、両接触片の間で基板３４に設けた端子片３４ａを挟持する。また、各コンタクト４１は各接続パターン３４ｂにそれぞれ弾接し、各接続パターン３４ｂにそれぞれ電気的に接続される。各コンタクト４１は点灯装置１２（図２参照）に接続されており、各接続パターン３４ｂは光源３１に接続されているから、ソケット４０に基板３４の端子片３４ａを差し込むことにより、光源３１と点灯装置１２（図２参照）とを電気的に接続することができる。
【００４１】
ソケット４０のハウジング４２は、角筒状に形成され、左右の側壁を上下方向の中央部で結合する仕切板により内部空間が上下に仕切られた形状を有している。コンタクト４１は、仕切板の上下両側に配置され、接触片がハウジング４２の前面側に露出する。
【００４２】
ハウジング４２の一方の側壁には、点灯装置１２（図２参照）と接続するための接続線が挿通される導入孔４２ａが形成される。ハウジング４２の上下両面には、ハウジング４２を本体ケース１０に取着するための前後一対の係止片４２ｂがそれぞれ突設される。
【００４３】
上述したソケット４０を本体ケース１０に取り付けるために、本体ケース１０の左右の各側壁内側面の上端部には、前後一対の支持片６１がそれぞれ突設されている。ソケット４０は、本体ケース１０の上壁と支持片６１との間に配置される。また、各支持変６１の先端部には上向きに突出する取付爪６２が突設され、本体ケース１０の上壁下面において取付爪６２と突出する部位に取付爪６３が突設されている。ソケット４０は、本体ケース４０の側壁と各取付爪６２，６３との間に配置される。
【００４４】
さらに、前の支持片６１の後部には前部より下がった段差６１ａが形成され、後の支持片６１の前部には後部より下がった段差６１ａが形成されている。各段差６１ａにはソケット４０のハウジング４２の下面に設けた前後の係止片４２ｂがそれぞれ当接する。一方、ハウジング４２の上面に設けた前後の係止片４２ｂは、上述した取付爪６３にそれぞれ当接する。
【００４５】
したがって、ソケット４０は、本体ケース４０の上壁および側壁と支持片６１とにより上下方向、左右方向、前後方向の移動が規制される。
【００４６】
次に、光源ユニット３を本体ユニット１に結合する構成について説明する。光源ホルダ３０に設けられた一対のガイド突起５１は、厚み方向が上下方向になる板状にそれぞれ形成される。したがって、ガイド突起５１は、上下方向に可撓性を有し、左右方向にはほとんど撓まない。また、ガイド突起５１の先端部上面には嵌合凸部５２が突設される。
【００４７】
一方、本体ケース１０に設けられたガイド溝５３は、上述のように前面と下面とが開放されており、また、左右の内側面は互いに対向している。ガイド溝５３の左右の内側面間の距離はガイド突起５１の幅寸法に略一致している。さらに、ガイド溝５３における前後方向の中間部の内底面（上面）には、後方に向かって下向き傾斜する案内面５５が設けられる。案内面５５をガイド溝５３の中間部に設けていることにより、ガイド溝５３は前端部が後端部よりも深くなる。さらに、ガイド溝５３の後端部の内底面には、本体ケース１０の上壁に貫設された嵌合孔５４が形成されている。
【００４８】
光源ユニット３を本体ユニット１に取り付けるにあたっては、まず、光源ホルダ３０に設けたガイド突起５１を、本体ケース１０に設けたガイド溝５３に差し込むように位置を合わせ、光源ユニット３を本体ユニット１に押し付ける。上述したように、ガイド突起５１は左右方向にはほとんど撓まないから、ガイド突起５１がガイド溝５３に挿入される間において光源ホルダ３０は左右に傾くことがなく、本体ユニット１の前面と光源ユニット３の後面とを平行に保った状態で光源ユニット３を本体ユニット１に押し付けることができる。
【００４９】
また、ガイド突起５１をガイド溝５３の位置に合わせることにより、光源ユニット３の後面に突出している基板３４の端子片３４ａは、ソケット４０のコンタクト４１に位置が合わされ、光源ユニット３を本体ユニット１に押し付けることにより、接触片４１ａの間に差し込まれる。端子片３４ａがコンタクト４１の接触片４１ａの間に差し込まれる間、ガイド突起５１とガイド溝５３とにより、光源ユニット３の左右の傾きが規制されるから、端子片３４ａの厚み方向には外力がほとんど作用せず、端子片３４ａに大きな応力が生じることを防止できる。光源ユニット３を本体ユニット１から取り外すときも同様である。
【００５０】
光源ユニット３を本体ユニット１に対して押し付ける間には、ガイド突起５１の先端部に設けた嵌合凸部５２がガイド溝５３の傾斜面５５により案内され、最終的に嵌合凸部５２が嵌合孔５４に嵌合することによって、光源ユニット３が本体ユニット１に対して機械的に結合される。ここに、光源ユニット３を本体ユニット１に結合した状態では、光源ユニット２は０表示ユニット２に載置されるから、光源ユニット２とガイド突起５１とにより光源ユニット３が上下方向に移動しないように固定される。
【００５１】
本実施形態では、上述したように、ガイド突起５１の先端部に形成された嵌合凸部５２と、ガイド溝５３に設けた嵌合孔５４とを嵌合させることにより、光源ユニット３を本体ユニット１に機械的に結合することができる上に、ガイド突起５１とガイド溝５３とにより光源ユニット３の着脱時において、光源ユニット３が左右に傾かないように規制しているから、端子片３４ａをソケット４０に接続する位置に案内する際に、光源ユニット３の左右の傾きを抑制して端子片３４に応力が生じるのを防止することができる。したがって、図９に示した従来構成のように、光源ホルダ３０を本体ケースに機械的に結合するための取着突起９５と、端子片３４ｃに応力が生じるのを防止するためのガイド突起５１’とを各別に設ける必要がなく、光源ホルダ３０に両機能を持たせる構成としてガイド突起５１のみを設ければよいから、従来構成に比較して、光源ホルダ３０の構成が簡単になる。
【符号の説明】
【００５２】
１０  本体ケース
１２  点灯装置
２１  表示パネル
２２  導光板
３０  光源ホルダ
３１  光源
３４ｂ  端子片
４０  ソケット
５１  ガイド突起
５２  嵌合凸部
５３  ガイド溝
５４  嵌合孔
５５  案内面
【図１】
2010277733.tif 000003
【図２】
2010277733.tif 000004
【図３】
2010277733.tif 000005
【図４】
2010277733.tif 000006
【図５】
2010277733.tif 000007
【図６】
2010277733.tif 000008
【図７】
2010277733.tif 000009